(57)【特許請求の範囲】
【請求項１】
装着相手のホスト装置から電流供給を受けて動作するカード型電子装置と、前記カード型電子装置用の第１のカードスロットの最大供給電流規格値よりも大きな最大供給電流規格値を有する特定の第２のカードスロットに、前記カード型電子装置を形状的に適合させる専用アダプタと、から構成されるカード型電子装置システムであって、
前記カード型電子装置は、
動作開始後、所定の認識手順に従って前記専用アダプタを認識する認識手段と、
前記専用アダプタが認識されなかった場合には前記第１のカードスロットの最大供給電流規格値に合致する所定の動作条件を選択し、一方、前記専用アダプタが認識された場合には前記第２のカードスロットの最大供給電流規格値に合致する所定の動作条件を選択する制御手段と、を備え、
前記専用アダプタは、前記所定の認識手順に合致する自己の識別手段を備えたことを特徴とするカード型電子装置システム。
【請求項２】
前記認識手段は、所定の信号を前記専用アダプタへ送信し、この送信信号に対する応答により前記専用アダプタを認識し、
前記識別手段は、前記送信信号を受信して所定の応答を行うことを特徴とする請求項１に記載のカード型電子装置システム。
【請求項３】
前記識別手段は、所定の信号を前記カード型電子装置へ送信し、
前記認識手段は、前記識別手段からの所定信号の受信により前記専用アダプタを認識することを特徴とする請求項１に記載のカード型電子装置システム。
【請求項４】
前記カード型電子装置は、符号分割多元接続方式の無線電話手段を有し、
前記制御手段は、前記専用アダプタの認識結果に応じて前記無線電話規格の送信出力クラスを選択することを特徴とする請求項１乃至請求項３のいずれかの項に記載のカード型電子装置システム。
【請求項５】
前記カード型電子装置は、時分割多元接続方式の無線電話手段を有し、
前記制御手段は、前記専用アダプタの認識結果に応じて前記時分割多元接続時の使用スロット数を選択することを特徴とする請求項１乃至請求項３のいずれかの項に記載のカード型電子装置システム。
【請求項６】
前記カード型電子装置は、複数のメモリアクセス速度を切り換える手段を有するメモリカードであり、
前記制御手段は、前記専用アダプタの認識結果に応じて前記メモリアクセス速度を選択することを特徴とする請求項１乃至請求項３のいずれかの項に記載のカード型電子装置システム。
【請求項７】
前記カード型電子装置は、入力クロックにより動作する処理回路と複数の前記入力クロック速度を切り換える手段とを有し、
前記制御手段は、前記専用アダプタの認識結果に応じて前記入力クロック速度を選択することを特徴とする請求項１乃至請求項３のいずれかの項に記載のカード型電子装置システム。
【請求項８】
前記カード型電子装置は、複数の解像度を切り換える手段を有する電子カメラカードであり、
前記制御手段は、前記専用アダプタの認識結果に応じて前記解像度を選択することを特徴とする請求項１乃至請求項３のいずれかの項に記載のカード型電子装置システム。
【請求項９】
装着相手のホスト装置の第１のカードスロットに挿入されるか、もしくは前記第１のカードスロットの最大供給電流規格値よりも大きな最大供給電流規格値を有する第２のカードスロットに形状的に適合させる専用アダプタを介して該第２のカードスロットに挿入され、前記挿入されたカードスロットから電流供給を受けて動作するカード型電子装置であって、
動作開始後、所定の認識手順に従って前記専用アダプタを認識する認識手段と、
前記専用アダプタが認識されなかった場合には前記第１のカードスロットの最大供給電流規格値に合致する所定の動作条件を選択し、一方、前記専用アダプタが認識された場合には前記第２のカードスロットの最大供給電流規格値に合致する所定の動作条件を選択する制御手段と、
を備えたことを特徴とするカード型電子装置。
【請求項１０】
前記認識手段は、所定の信号を前記専用アダプタヘ送信し、この送信信号に対する応答により前記専用アダプタを認識することを特徴とする請求項９に記載のカード型電子装置。
【請求項１１】
符号分割多元接続方式の無線電話手段を有し、
前記制御手段は、前記専用アダプタの認識結果に応じて前記無線電話規格の送信出力クラスを選択することを特徹とする請求項９または請求項１０に記載のカード型電子装置。
【発明の詳細な説明】
【技術分野】
【０００１】
本発明は、カード型電子装置と専用アダプタとから構成されるカード型電子装置システムに関する。
【背景技術】
【０００２】
従来、ＰＣカードと呼ばれるカード型電子装置があり、携帯型パーソナルコンピュータ等の機能拡張用に各種機能を具備するものが実現されている。例えば、モデム、ＬＡＮ、無線電話等の通信カードやメモリカードなどがある。また、ＣＦカードと呼ばれるカード型電子装置があり、ＰＣカードと同様に各種機能を具備するものが実現されている。このＣＦカードはＰＣカードに比べて形状が小さいので、特に携帯電話機やＰＤＡ等の携帯端末などの小型の機器に使用されている。【０００３】
また、ＣＦカードの外部端子の信号割付けはＰＣカード規格に準拠しており、専用のアダプタを使用すれば、携帯型パーソナルコンピュータ等のＰＣカードスロットに装着し、ＰＣカードとして使用することができる（例えば、特許文献１参照）。その専用アダプタは、単に配線を延長してカード形状をＰＣカードに合わせるものであり、制御回路を持たない簡単な構成となっている。
［特許文献１］  特開２０００−１９４８００号公報
上述したＣＦカード及びＰＣカードは、それぞれ装着されるホスト装置のカードスロットから電流供給を受けて動作する。そして、ＣＦカードとＰＣカードとでは、規格上、カードスロットから供給される最大電流の規格値が異なっており、ＣＦカードスロットの最大供給電流規格値の方が小さい。このため、ＣＦカード単体でＣＦカードスロットに装着して使用する場合を考慮して、ＣＦカードで実現する機能や性能がＰＣカードよりも制限して設計されることがある。【０００４】
例えば、符号分割多元接続（ＣＤＭＡ）方式の無線電話規格では、端末からの送信出力に複数のクラスが規定されている。しかしながら、ＰＣカードにおいては、ある最大送信出力のクラスに対応できたとしても、ＣＦカードでその最大送信出力のクラスを実施すると、最大消費電流がＣＦカードスロットの最大供給電流規格値を超えてしまうことがある。このためＣＦカードでは該最大送信出力のクラスには非対応として設計しなければならない。【０００５】
このような理由から、上記した従来のＣＦカード及び専用アダプタの組み合わせでは、ＰＣカードとして使用することはできるが、ＰＣカードと同等の機能や性能が実現されない場合がある。この結果、ユーザが、携帯用にはＣＦカードを準備し、さらに機能や性能の面からＰＣカードを準備するという事態になりかねず、ユーザの負担が大きい。
【発明の開示】
【０００６】
本発明は、このような事情を考慮してなされたもので、その目的は、ＣＦカードと専用アダプタとの組み合わせでＰＣカードスロット装着時にはＰＣカードと同等の機能や性能を実現し、一方、ＣＦカード単体でＣＦカードスロット装着時にはＣＦカードスロットの最大供給電流規格値に合わせた機能や性能を実現することができるカード型電子装置システム及びカード型電子装置を提供することにある。
【０００７】
上記の課題を解決するために、本発明のカード型電子装置システムは、装着相手のホスト装置から電流供給を受けて動作するカード型電子装置と、前記カード型電子装置用の第１のカードスロットの最大供給電流規格値よりも大きな最大供給電流規格値を有する特定の第２のカードスロットに、前記カード型電子装置を形状的に適合させる専用アダプタと、から構成されるカード型電子装置システムであって、前記カード型電子装置は、動作開始後、所定の認識手順に従って前記専用アダプタを認識する認識手段と、前記専用アダプタが認識されなかった場合には前記第１のカードスロットの最大供給電流規格値に合致する所定の動作条件を選択し、一方、前記専用アダプタが認識された場合には前記第２のカードスロットの最大供給電流規格値に合致する所定の動作条件を選択する制御手段と、を備え、前記専用アダプタは、前記所定の認識手順に合致する自己の識別手段を備えたことを特徴としている。
【０００８】
この構成によれば、カード型電子装置、例えばＣＦカードと専用アダプタとの組み合わせで第２のカードスロット、例えばＰＣカードスロットに装着された場合には、専用アダプタが認識されて該ＰＣカードスロットに適した動作条件が選択されるので、ＰＣカードと同等の機能や性能を実現することができる。一方、カード型電子装置（ＣＦカード）単体で第１のカードスロット（ＣＦカードスロット）に装着された場合には、専用アダプタが認識されず該ＣＦカードスロットに適した動作条件が選択されるので、ＣＦカードスロットの最大供給電流規格値に合わせた機能や性能を実現することができる。
【０００９】
また、本発明のカード型電子装置システムにおいては、前記認識手段は、所定の信号を前記専用アダプタへ送信し、この送信信号に対する応答により前記専用アダプタを認識し、前記識別手段は、前記送信信号を受信して所定の応答を行うことを特徴とする。
【００１０】
また、本発明のカード型電子装置システムにおいては、前記識別手段は、所定の信号を前記カード型電子装置へ送信し、前記認識手段は、前記識別手段からの所定信号の受信により前記専用アダプタを認識することを特徴とする。
【００１１】
また、本発明のカード型電子装置システムにおいては、前記カード型電子装置は、符号分割多元接続方式の無線電話手段を有し、前記制御手段は、前記専用アダプタの認識結果に応じて前記無線電話規格の送信出力クラスを選択することを特徴とする。
【００１２】
この構成によれば、専用アダプタの認識結果に応じて送信出力クラスが選択されるので、使用可能な消費電流に合致した送信出力クラスによる無線通信を実現することができる。
【００１３】
また、本発明のカード型電子装置システムにおいては、前記カード型電子装置は、時分割多元接続方式の無線電話手段を有し、前記制御手段は、前記専用アダプタの認識結果に応じて前記時分割多元接続時の使用スロット数を選択することを特徴とする。
【００１４】
この構成によれば、専用アダプタの認識結果に応じて時分割多元接続時の使用スロット数が選択されるので、使用可能な消費電流に合致した時分割多元接続による無線通信を実現することができる。
【００１５】
また、本発明のカード型電子装置システムにおいては、前記カード型電子装置は、複数のメモリアクセス速度を切り換える手段を有するメモリカードであり、前記制御手段は、前記専用アダプタの認識結果に応じて前記メモリアクセス速度を選択することを特徴とする。
【００１６】
この構成によれば、専用アダプタの認識結果に応じてメモリアクセス速度が選択されるので、使用可能な消費電流に合致したアクセス速度によるメモリアクセスを実現することができる。
【００１７】
また、本発明のカード型電子装置システムにおいては、前記カード型電子装置は、入力クロックにより動作する処理回路と複数の前記入力クロック速度を切り換える手段とを有し、前記制御手段は、前記専用アダプタの認識結果に応じて前記入力クロック速度を選択することを特徴とする。
【００１８】
この構成によれば、専用アダプタの認識結果に応じて入力クロック速度が選択されるので、使用可能な消費電流に合致した処理回路性能（例えばＣＰＵ性能）による処理実行を実現することができる。
【００１９】
また、本発明のカード型電子装置システムにおいては、前記カード型電子装置は、複数の解像度を切り換える手段を有する電子カメラカードであり、前記制御手段は、前記専用アダプタの認識結果に応じて前記解像度を選択することを特徴とする。
【００２０】
この構成によれば、専用アダプタの認識結果に応じて解像度が選択されるので、使用可能な消費電流に合致した解像度による撮影を実現することができる。
【００２１】
本発明のカード型電子装置は、装着相手のホスト装置の第１のカードスロットに挿入されるか、もしくは前記第１のカードスロットの最大供給電流規格値よりも大きな最大供給電流規格値を有する第２のカードスロットに形状的に適合させる専用アダプタを介して該第２のカードスロットに挿入され、前記挿入されたカードスロットから電流供給を受けて動作するカード型電子装置であって、動作開始後、所定の認識手順に従って前記専用アダプタを認識する認識手段と、前記専用アダプタが認識されなかった場合には前記第１のカードスロットの最大供給電流規格値に合致する所定の動作条件を選択し、一方、前記専用アダプタが認識された場合には前記第２のカードスロットの最大供給電流規格値に合致する所定の動作条件を選択する制御手段とを備えたことを特徴としている。
【００２２】
また、本発明のカード型電子装置においては、前記認識手段は、所定の信号を前記専用アダプタヘ送信し、この送信信号に対する応答により前記専用アダプタを認識することを特徴とする。
【００２３】
これにより、専用アダプタとの組み合せで第２のカードスロット、例えばＰＣカードスロットに装着された場合には、カード型電子装置は専用アダプタを認識してＰＣカードスロットに適した動作条件を選択するので、ＰＣカードと同等の機能や性能を実現することが出来る。一方、カード型電子装置単体で第１のカードスロット（ＣＦカードスロット）に装着された場合には、専用アダプタは認識されずＣＦカードスロットに適した動作条件が選択されるので、ＣＦカードスロットの最大供給電流規格値に合わせた機能や性能を実現することができる。
【００２４】
また、本発明のカード型電子装置においては、符号分割多元接続方式の無線電話手段を有し、前記制御手段は、前記専用アダプタの認識結果に応じて前記無線電話規格の送信出力クラスを選択することを特徹とする。
【００２５】
この構成によれば、専用アダプタの認識結果に応じて送信出力クラスを選択するので、使用可能な消費電力に合致した送信出力クラスによる無線通信を実現することが出来る。
【図面の簡単な説明】
【００２６】
図１は本発明の一実施形態に係るカード型電子装置システムの構成を示すブロック図である。【００２７】
図２は同実施形態に係るカード型電子装置システムと装着相手の携帯型パーソナルコンピュータ（ホスト装置）３の外観図である。【００２８】
図３は図１に示すＣＦカード１の構成を示すブロック図である。【００２９】
図４は図１に示す専用アダプタ２の構成を示すブロック図である。【００３０】
図５は図４に示す専用アダプタ２の認識手順を説明するための図である。【００３１】
図６は図３に示すＣＦカード１が行う消費電流制御処理の流れを示すフローチャートである。【００３２】
図７はＣＤＭＡ方式の送信出力クラスの送信出力特性を説明するための波形図である。【００３３】
図８は他の実施形態による専用アダプタの認識手順を説明するための図である。【００３４】
図９は本発明に係る時分割多元接続方式の無線電話機能を実現する通信カードにおける使用スロットの一例を説明した説明図である。【００３５】
図１０は本発明の他の実施形態によるＣＦカード１０の構成を示すブロック図である
図１１は図１０に示すＣＦカード１０が行うアクセス速度制御処理の流れを示すフローチャートである。【００３６】
図１２は本発明の他の実施形態によるＣＦカード１１の構成を示すブロック図である。【００３７】
図１３は図１２に示すＣＦカード１１が行う画像処理速度制御処理の流れを示すフローチャートである。
【発明を実施するための最良の形態】
【００３８】
以下、図面を参照し、本発明の一実施形態を説明する。本実施形態においては、カード型電子装置の具体的な例としてＣＤＭＡ方式の無線電話機能を実現するＣＦカードを、また、専用アダプタの具体的な例としてＣＦカードを形状的にＰＣカードスロットに適合させるものを、それぞれ挙げて説明する。また、カード型電子装置システムの装着相手であるホスト装置の具体的な例として携帯型パーソナルコンピュータを挙げて説明する。【００３９】
図１は、本発明の一実施形態に係るカード型電子装置システムの構成を示すブロック図である。図２は、そのカード型電子装置システムと装着相手の携帯型パーソナルコンピュータ（ホスト装置）３の外観図である。図１及び図２において、カード型電子装置システムは、ＣＦカード１と専用アダプタ２とから構成されている。そして、図２に示されるように、ＣＦカード１は専用アダプタ２にセットされて携帯型パーソナルコンピュータ３のＰＣカードスロット３０１に装着することが可能である。【００４０】
図３は、本実施形態に係るＣＦカード１の構成を示すブロック図である。このＣＦカード１は、ＣＤＭＡ方式の無線電話機能を実現し、無線により音声通信及びデータ通信を行うことが可能なものである。【００４１】
図３において、ＣＦカード１は、カード状のケース（図示せず）内に設けられた回路ユニット１１０と、ケースの外部側面に設けられたコネクタ１２０と、アンテナ１４０を有し、公衆網の基地局との間で無線信号を送受する無線部１３０とを具備する。コネクタ１２０はＣＦカードスロットに対応するものである。したがって、ＣＦカード１は、ＣＦカードスロットを有するホスト装置にはそのまま装着できる。【００４２】
回路ユニット１１０は、コネクタ１２０に接続され、このコネクタ１２０を介してホスト装置との信号の入出力を行う。また、無線部１３０に接続され、この無線部１３０により基地局との間で送受される信号を入出力する。【００４３】
回路ユニット１１０は、ＰＣカードインタフェースＩＣ１１１からなるホストインタフェースと、ベースバンドＩＣ１１４、ＲＯＭ１１５及びＲＡＭ１１６からなる電話部とから構成されている。【００４４】
ベースバンドＩＣ１１４はＣＰＵ１１４ａを内蔵し、ＲＯＭ１１５に記憶されている制御プログラムを実行することによって各部を制御する。【００４５】
ベースバンドＩＣ１１４は、無線部１３０と基地局間で音声等のデータを送受信するための変復調を行う。【００４６】
ＣＰＵ１１４ａはＰＣカードインタフェースＩＣ１１１を制御してホスト装置との間のデータ通信を行う。そしてＰＣカードインタフェースＩＣ１１１を介してホスト装置から指示を受けると、ベースバンドＩＣ１１４が発着信動作を行うよう制御するとともに、無線部１３０の動作を制御する。また、ＣＰＵ１１４ａは、所定の認識手順に従って専用アダプタ２を認識する処理を行う。その専用アダプタ２の認識手順については後述する。【００４７】
また、ＲＯＭ１１５には、ＣＤＭＡ方式の送信出力クラス毎に、それぞれ対応する送信電力パラメータが予め格納されている。この送信電力パラメータは、該当する送信出力クラスの送信出力特性を実現する。ＣＰＵ１１４ａは、いずれかの送信電力パラメータを使用して、無線部１３０の送信出力を制御する。【００４８】
無線部１３０は、ＣＤＭＡ方式により無線信号を送受信する。【００４９】
図４は、本実施形態に係る専用アダプタ２の構成を示すブロック図である。この専用アダプタ２は、ＰＣカードスロット３０１に装着可能な外部形状となっている。また、専用アダプタ２内部にＣＦカード１を装着可能な内部形状となっている。そして、図４に示すように、専用アダプタ２内部には、ＣＦカード側の位置にコネクタ２１０と、ＰＣカードスロット側の位置にコネクタ２２０と、が設けられている。【００５０】
ＣＦカード側のコネクタ２１０は、上記図３のＣＦカード１のコネクタ１２０に対応するもの、即ちＣＦカードスロット用である。そして、専用アダプタ２にＣＦカード１が装着されたときに、コネクタ２１０とコネクタ１２０とが接続される。【００５１】
ＰＣカードスロット側のコネクタ２２０は、ＰＣカードスロット３０１のコネクタ（図示せず）に対応するもの、即ちＰＣカード用である。そして、ＰＣカードスロット３０１に専用アダプタ２が装着されたときに、ＰＣカードスロット３０１のコネクタとコネクタ２２０とが接続される。【００５２】
そして、図４に示されるように、コネクタ２１０と２２０間は、それぞれ対応する端子間が配線されている。また、特に、制御回路を持たない簡単な構成となっている。【００５３】
このように専用アダプタ２は、基本的には、単に配線を延長してＣＦカード１のカード形状をＰＣカードに合わせるものであるが、さらに自己の識別手段を備える。【００５４】
図５は、本実施形態に係る専用アダプタ２の認識手順を説明するための図である。【００５５】
図５に示されるように、専用アダプタ２のコネクタ２２０では、一つの信号線が別の信号線に折り返されるように配線されている。これら折り返し用の２つの信号線は、ホスト装置間において未使用のものである。【００５６】
ＣＦカード１のＣＰＵ１１４ａは、ＰＣカードインターフェースＩＣ１１１を介して専用アダプタ２の認識のために、所定の信号Ａを折り返し用の信号線（往路）に出力する。これにより、専用アダプタ２が接続されていれば、折り返し用の信号線（復路）から信号Ａが戻ってくるので、専用アダプタ２を認識することができる。一方、専用アダプタ２が接続されていなければ、折り返し用の信号線（復路）から信号Ａが戻ってこないので、専用アダプタ２を認識することができない。【００５７】
上記信号Ａとしては、例えばＨｉｇｈレベルとＬｏｗレベルを交互に複数回繰り返す信号列とする。【００５８】
次に、図６を参照して、本実施形態に係るカード型電子装置システムの消費電流制御に係る動作を説明する。図６は、ＣＦカード１が行う消費電流制御処理の流れを示すフローチャートである。【００５９】
ＣＦカード１は、ホスト装置のカードスロットに装着後、当該カードスロットから電流供給を受けると、動作を開始する。そして、初期化処理が開始されると、その初期化処理の中で、図６の処理を開始する。【００６０】
図６において、先ず、ＣＦカード１のＣＰＵ１１４ａは、上記図５を参照して説明したように、所定の信号Ａをコネクタ１２０を介して送信する（ステップＳ１０１）。次いで、その送信信号に対する応答が有るか判断する（ステップＳ１０２）。【００６１】
例えば、信号Ａとして、所定回数だけＨｉｇｈレベルとＬｏｗレベルを交互に繰り返す信号列を送信する。そして、この信号列が戻ってきた場合には応答有りと判断する。この場合にはＣＦカード１が専用アダプタ２にセットされてホスト装置のＰＣカードスロットに装着されていると認識できる。【００６２】
一方、信号列が戻らなければ、応答無しと判断する。この場合にはＣＦカード１がそのまま単体でホスト装置のＣＦカードスロットに装着されていると認識できる。【００６３】
次いで、上記ステップＳ１０２の判断の結果、応答有りの場合には、ＣＦカード１のＣＰＵ１１４ａが、ＲＯＭ１１５から高出力用の送信電力パラメータを取得し（ステップＳ１０３）、一方、応答無しの場合には、ＲＯＭ１１５から低出力用の送信電力パラメータを取得する（ステップＳ１０４）。次いで、その取得した送信電力パラメータを無線部１３０の送信出力制御用に設定する（ステップＳ１０５）。【００６４】
これにより、ＣＰＵ１１４ａは、送信出力制御用に設定された送信電力パラメータを使用して無線部１３０の送信出力を制御する。この結果、無線部１３０からは、送信出力制御用に設定された送信電力パラメータに対応する送信出力クラスの送信出力で無線信号が送信される。【００６５】
図７に、ＣＤＭＡ方式の送信出力クラスの出力レベルを説明するための波形図を示す。この図７に示される波形は、高送信出力レベルを示すＷ１と、低送信出力レベルを示すＷ２とが示されており、低送信出力クラスの最大送信出力値Ｐ２の方が、高送信出力クラスの最大送信出力値Ｐ１よりも小さい。そして、低送信出力クラスが選択された場合には、ＣＦカード１の消費電流がＣＦカードスロットの最大供給電流規格値以下に抑えられる。また、高送信出力クラスが選択された場合には、ＣＦカード１の消費電流がＰＣカードスロットの最大供給電流規格値以下に抑えられる。【００６６】
従って、本実施形態によれば、ＣＦカード１と専用アダプタ２との組み合わせでＰＣカードスロットに装着された場合には、専用アダプタ２が認識されて高送信出力クラスが選択されるので、ＰＣカードと同等の高出力特性で無線送信することができる。【００６７】
一方、ＣＦカード１単体でＣＦカードスロットに装着された場合には、専用アダプタ２が認識されず低送信出力クラスが選択されるので、ＣＦカードスロットの最大供給電流規格値に合わせた低出力特性で無線送信することができる。【００６８】
これにより、ユーザは、ＣＦカードとＰＣカードの両方を有して使い分ける必要が無くなり、本実施形態のＣＦカード１のみを有すれば、常に適切なＣＤＭＡ方式の無線通信を行うことができる。【００６９】
以上、本発明の実施形態を図面を参照して詳述してきたが、具体的な構成はこの実施形態に限られるものではなく、本発明の要旨を逸脱しない範囲の設計変更等も含まれる。【００７０】
例えば、本発明に係る専用アダプタの認識手順として、専用アダプタから所定の信号を発信し、この所定信号の受信によりＣＦカードが専用アダプタを認識するようにしてもよい。例えば、図８に示されるように、ホスト装置間で未使用の一つの信号線を、専用アダプタ２ａのコネクタ２２０ａでグランド線に結線する。また、そのホスト装置間で未使用の同じ信号線を、ＣＦカード１ａのコネクタ１２０ａでプルアップする。【００７１】
これにより、ＣＦカード１ａ単体でＣＦカードスロットに装着された場合には、当該信号線がＨｉｇｈレベルとなっているが、ＣＦカード１ａと専用アダプタ２ａとの組み合わせでＰＣカードスロットに装着された場合には、当該信号線を介して専用アダプタ２ａからＬｏｗレベル信号Ｂが入力されるので、専用アダプタ２ａを認識することができる。【００７２】
また、上述した実施形態では、本発明に係るカード型電子装置としてＣＤＭＡ方式の無線電話機能を実現するＣＦカードを例に挙げたが、各種のカードに応用可能である。【００７３】
例えば、時分割多元接続方式の無線電話機能を実現する通信カードの場合、専用アダプタの認識結果に応じて時分割多元接続時の使用スロット数を選択するようにすればよい。【００７４】
図９は、時分割多元接続時の使用スロットの一例を説明した説明図である。この例では、送信、受信ともに４つのスロットで構成されている。そして、専用アダプタ２が接続されていることを認識した場合には、図９（ａ）に示すように２つのスロットＴ１、Ｔ２を使用して送信を行い、スロットＲ１を使用して受信を行う。一方、専用アダプタ２が接続されていないことを認識した場合には、図９（ｂ）に示すように１つのスロットＴ１ａを使用して送信を行い、スロットＲ１ａを使用して受信を行う。【００７５】
なお、上記した図９の例の場合は、送信に使用するスロット数を２つとするか、或いは１つとするかに切り替えているが、使用するスロット数は、専用アダプタ２の接続／未接続のそれぞれの場合における最大消費電流規格値に合わせて決定すればよい。【００７６】
時分割多元接続方式では、送信はスロットごとにオン／オフされ、消費電流もそのオン／オフに応じて変動することになるが、平均的な消費電流は使用するスロット数に応じて増減するので、本願発明を適用することができる。これにより、使用可能な消費電流に合致した時分割多元接続による無線通信を実現することが可能となる。【００７７】
また、複数のメモリアクセス速度を切り換えることが可能なメモリカードの場合、専用アダプタの認識結果に応じてメモリアクセス速度を選択するようにすればよい。これにより、使用可能な消費電流に合致したアクセス速度によるメモリアクセスを実現することができる。【００７８】
近年、半導体プロセスの微細化に伴いメモリデバイスは大容量化し、低消費電力化も実現され、メモリカードもフラッシュデバイスを使用したものからハードディスクを使用したものまで様々なものが存在する。また、メモリデバイスのアクセス速度についても著しく向上している。【００７９】
こうした省電力化が進む中でもアクセススピード向上に伴い低速アクセス時にはＷａｉｔ処理が入るため平均消費電力は低下したように見えるが、アクセス速度を上げるに従い消費電力は増加する。【００８０】
更に、大容量のメモリデバイスを複数個使用するようなメモリーカードの場合や、ハードディスク搭載のメモリーカードを使用する場合、メモリカードへのアクセス速度を上げるほど、メモリカードがスロットから消費する電流は増加し、やがてスロットの供給電力規格を超える可能性がある。【００８１】
そこで、予め各カードで使用可能な電力（ＣＦカードスロット＝５００ｍＡ、ＰＣカードスロット＝１０００ｍＡ）に対する、メモリアクセス可能スピードのデータを各々保持しておくことにより、カードアダプタが装着されていない場合には、ＣＦカードスロットの最大消費電流まで利用可能なメモリアクセススピードまで動作可能とし、カードアダプタが装着されたと判断した場合には、ＰＣカードスロットの最大消費電流まで利用可能なメモリアクセススピードまで動作することで、夫々の形態での最大限のアクセススピードが実現可能なメモリカードを提供することが可能となる。【００８２】
図１０は上記の本発明のメモリーカードの一実施形態を示すブロック図である。図１０において、ＣＦカード１０はケースの外部側面に設けられたコネクタ１２０を有する。コネクタ１２０はＣＦカードスロットに対応するものである。したがって、ＣＦカード１０は、ＣＦカードスロットを有するホスト装置にはそのまま装着できる。【００８３】
コネクタ１２０はＰＣカードインターフェースＩＣ１１１を介してＣＰＵ１５０に接続され信号の入出力を行う。ＣＰＵ１５０はＰＣカードインタフェースＩＣ１１１からの信号によりＲＡＭ１５１を制御してホスト装置との間のデータ通信を行う。また、ＣＦカード１０は、前述の実施例と同様に専用アダプタにより携帯型パーソナルコンピュータ（ホスト装置）のＰＣカードスロットに接続される。【００８４】
ＲＯＭ１５２のアクセス速度データ保持部１５３には、ＰＣカードでのメモリアクセス速度とＣＦカードでのメモリアクセス速度が保持され、ＣＰＵ１５０がＲＡＭ１５１にアクセスする速度が制御される。【００８５】
ＣＦカード１０は、ホスト装置のカードスロットに装着後、当該カードスロットから電流供給を受けると、動作を開始する。そして、初期化処理が開始されると、その初期化処理の中で、図１１の処理を開始する。【００８６】
図１１において、先ず、ＣＦカード１０のＣＰＵ１５０は、所定の信号をコネクタ１２０を介して送信する（ステップＳ２０１）。次いで、その送信信号に対する応答信号が有るか判断する（ステップＳ２０２）。【００８７】
応答信号が戻ってきた場合には応答有りと判断する。この場合にはＣＦカード１０が専用アダプタにセットされてホスト装置のＰＣカードスロットに装着されていると認識できる。【００８８】
一方、応答信号が戻らなければ、応答無しと判断する。この場合にはＣＦカード１０がそのまま単体でホスト装置のＣＦカードスロットに装着されていると認識できる。【００８９】
次いで、上記ステップＳ２０２の判断の結果、応答有りの場合には、ＣＦカード１０のＣＰＵ１５０が、ＲＯＭ１５２のアクセス速度データ保持部１５３から高速アクセススピード用のパラメータを取得し（ステップＳ２０３）、一方、応答無しの場合には、ＲＯＭ１５２のアクセス速度データ保持部１５３からから低速アクセススピード用のパラメータを取得する（ステップＳ２０４）。次いで、その取得したアクセススピードパラメータをＲＡＭ１５１のアクセススピードとして設定する（ステップＳ２０５）。ＣＰＵ１５０は、設定されたアクセススピードによりＲＡＭ１５１とデータの入出力を行い、且つホスト装置とデータのやり取りを行う。これにより、ユーザーに対して快適で安全なメモリアクセス可能なメモリカードを提供できる。【００９０】
また、入力クロックにより動作するＣＰＵ（処理回路）を備え、複数の入力クロック速度を切り換えることが可能なカードの場合、専用アダプタの認識結果に応じて入力クロック速度を選択するようにすればよい。これにより、使用可能な消費電流に合致したＣＰＵ性能による処理実行を実現することができる。【００９１】
また、複数の解像度を切り換え可能な電子カメラカードの場合、専用アダプタの認識結果に応じて解像度を選択するようにすればよい。これにより、使用可能な消費電流に合致した解像度による撮影を実現することができる。【００９２】
例えば、カード型PC用Webカメラの場合、カメラの解像度により、集積回路が処理するデータ量は増加する。特にリアルタイム映像の場合、所定時間内に処理できるデータ量で表示画質が異なる。【００９３】
集積回路の処理速度が十分である場合、規定時間により多くのデータ量を処理すること、即ち処理速度の向上は消費電流の増加となる。【００９４】
そこで、予めカードで使用可能な電力（ＣＦカードスロット＝５００ｍＡ、ＰＣカード
スロット＝１０００ｍＡ）に対する集積回路のデータ処理スピードのデータを保持しておくことにより、カードアダプタが装着されていない場合には、ＣＦカードスロットの最大消費電流まで利用可能な処理速度まで動作可能とし、カードアダプタが装着されたと判断した場合には、ＰＣカードスロットの最大消費電流まで利用可能な処理速度まで動作することで、最大限のカメラの画像品質を実現可能なカード型ＰＣ用電子カメラを提供することが可能となる。【００９５】
図１２は上記の本発明のカード型ＰＣ用電子カメラの一実施形態を示すブロック図である。図１２において、ＣＦカード１１はケースの外部側面に設けられたコネクタ１２０を有する。コネクタ１２０はＣＦカードスロットに対応するものである。したがって、ＣＦカード１１は、ＣＦカードスロットを有するホスト装置にはそのまま装着できる。【００９６】
コネクタ１２０はＰＣカードインターフェースＩＣ１１１を介してＣＰＵ１６０に接続され信号の入出力を行う。撮像素子１６１はＣＦカード１１の外部に設けられたレンズ１６２のより、画像を電子データに変換する。ＣＰＵ１６０はＰＣカードインタフェースＩＣ１１１からの信号により撮像素子１６１、ＰＡＭ１６３、ＲＯＭ１６４を制御して画像データをホスト装置に送信する。また、ＣＦカード１１は、前述の実施例と同様に専用アダプタにより携帯型パーソナルコンピュータ（ホスト装置）のＰＣカードスロットに接続される。【００９７】
ＲＯＭ１６４の画像処理速度データ保持部１６５には、ＰＣカードでの画像処理速度とＣＦカードでの画像処理速度が保持され、ＣＰＵ１６０、撮像素子１６１、ＲＡＭ１６３、およびＲＯＭ１６４で行われる画像処理の速度が制御される。【００９８】
ＣＦカード１１は、ホスト装置のカードスロットに装着後、当該カードスロットから電流供給を受けると、動作を開始する。そして、初期化処理が開始されると、その初期化処理の中で、図１３の処理を開始する。【００９９】
図１３において、先ず、ＣＦカード１１のＣＰＵ１６０は、所定の信号をコネクタ１２０を介して送信する（ステップＳ３０１）。次いで、その送信信号に対する応答信号が有るか判断する（ステップＳ３０２）。【０１００】
応答信号が戻ってきた場合には応答有りと判断する。この場合にはＣＦカード１１が専用アダプタにセットされてホスト装置のＰＣカードスロットに装着されていると認識できる。【０１０１】
一方、応答信号が戻らなければ、応答無しと判断する。この場合にはＣＦカード１１がそのまま単体でホスト装置のＣＦカードスロットに装着されていると認識できる。【０１０２】
次いで、上記ステップＳ３０２の判断の結果、応答有りの場合には、ＣＦカード１１のＣＰＵ１６０が、ＲＯＭ１６４の画像処理速度データ保持部１６５から高速画像処理用のパラメータを取得し（ステップＳ３０３）、一方、応答無しの場合には、ＲＯＭ１６４の画像処理速度データ保持部１６５からから低速画像処理用のパラメータを取得する（ステップＳ３０４）。次いで、その取得した画像処理速度パラメータを設定し（ステップＳ３０５）、ＣＰＵ１６０は、設定された画像処理速度により撮影された画像の処理を行う。【０１０３】
これにより、ユーザーに対して、快適な画像品質で使用できるカード型ＰＣ用カメラを提供できる。【０１０４】
また、上述した実施形態では、本発明に係る専用アダプタとしてＣＦカードを形状的にＰＣカードスロットに適合させるものを例に挙げたが、適合元のカードの種類及び適合先のカードスロットの種類はこれに限定されるものではない。【０１０５】
また、本発明に係るカード型電子装置システムの装着相手のホスト装置として携帯型パーソナルコンピュータを例に挙げたが、ホスト装置はこれに限定されるものではない。【０１０６】
【産業上の利用可能性】
【０１０７】
本発明によれば、カード型電子装置、例えばＣＦカードと専用アダプタとの組み合わせで第２のカードスロット、例えばＰＣカードスロットに装着された場合には、ＰＣカードと同等の機能や性能を実現することができ、一方、カード型電子装置（ＣＦカード）単体で第１のカードスロット（ＣＦカードスロット）に装着された場合には、ＣＦカードスロットの最大供給電流規格値に合わせた機能や性能を実現することができる。これにより、ユーザは、ＣＦカードとＰＣカードの両方を有して使い分ける必要が無くなり、本発明に係るＣＦカードのみを有すれば、常に適切な動作条件で当該ＣＦカードを使用することができる。
【図５】
0004343908.tif 000002
【図８】
0004343908.tif 000003
【図９】
0004343908.tif 000004
【図１０】
0004343908.tif 000005
【図１１】
0004343908.tif 000006
【図１２】
0004343908.tif 000007
【図１３】
0004343908.tif 000008
【図１】
0004343908.tif 000009
【図２】
0004343908.tif 000010
【図３】
0004343908.tif 000011
【図４】
0004343908.tif 000012
【図６】
0004343908.tif 000013
【図７】
0004343908.tif 000014